(57)【特許請求の範囲】
【請求項１】
建物の雨樋内を流れる雨水を取水して貯留タンク内に貯留する雨水貯留装置であって、取水機構と、貯留タンクと、導水路とからなり、該取水機構は、切替え羽と、分水器と、バランス部材と、錘容器と、第一及び第二の錘水路と、第一及び第二の開閉糸とからなり、該切替え羽は、平板状の部材であって、雨水排出口が穿設されているととともに、開閉糸取付孔が相対する位置に二か所穿設されており、該分水器に取り付けられていて、該分水器は、器状の部材であって、複数の管継手が設けられており、該導水路を接続するための菅継手よりも該第一の錘水路を接続するための菅継手が高い位置に設けられており、該分水器における相対する位置に第一の開閉糸案内部が二か所設けられているとともに、該分水器における相対する位置であって該第一の開閉糸案内部よりも高い位置に第二の開閉糸案内部が二か所設けられており、該第一の開閉糸は二本のひも状部材であり、それぞれの一端は該バランス部材に取り付けられており、それぞれの他端は相対するように該第一の開閉糸案内部を介して該開閉糸取付孔に取り付けられていて、該第二の開閉糸は二本のひも状部材であり、それぞれの一端は該錘容器に取り付けられており、それぞれの他端は相対するように該第二の開閉糸案内部を介して該第二の開閉糸案内部に対向する位置にある該開閉糸取付孔と連結されていて、該錘容器は、該第一の錘水路によって該分水器と連結されており、該貯留タンクは、該導水路によって該分水器と連結されているとともに、該第二の錘水路によって該錘容器と連結されていることを特徴とする雨水貯留装置。
【請求項２】
請求項１に記載した雨水貯留装置における前記貯留タンクに用いる蓋部材であって、該蓋部材には、キャップ部と、菅継手と、空気孔パイプとが備えられており、該キャップ部には雨水流出入孔と空気孔とが穿設されており、該菅継手は、二股の菅継手であって、該雨水流出入孔の周縁に立設されており、該空気孔パイプは、パイプ本体と、フロート球と、栓部材とからなり、該パイプ本体は、筒状の部材であって、該空気孔の周縁に立設されており、該フロート球は、パイプ本体内に保持されており、該栓部材は、空気口が穿設されており、該パイプ本体の上部に取り付けられていることを特徴とする蓋部材。
【請求項３】
請求項１に記載した雨水貯留装置における前記貯留タンクに用いるサイフォン機構であって、該サイフォン機構は、サイフォンキャップと、吸水チューブと、給水チューブとからなり、該サイフォンキャップには、雨水流出入孔及び空気孔が穿設されているとともに、形状及び／又は大きさが異なる複数の空気注入孔が穿設されており、該雨水流出入孔を挿通するようにして上下面の開放された筒状のチューブ継手が取り付けられており、該チューブ継手の一端には該吸水チューブが取り付けられるとともに他端には該給水チューブが取り付けられていることを特徴とするサイフォン機構。
【請求項４】
請求項１に記載した雨水貯留装置に用いる水位表示部材であって、該水位表示部材は、菅状部材と、管継手と、糸部材と、吊下げ部材と、錘部材とからなり、該菅状部材は、光を反射する色彩と光を吸収する色彩とがその外面に施されており、該管継手は、該菅状部材の両端部を連結してリング状に形成しており、該糸部材は、リング状に形成された該菅状部材の相対する箇所を連結して楕円状に形成し、該吊下げ部材は、ひも状の部材であって、その一端が前記貯留タンクにおける口部に取り付けられ、該菅状部材に穿設された孔部を挿通し、その他端には該錘部材が取り付けられていることを特徴とする水位表示部材。
【発明の詳細な説明】
【技術分野】
【０００１】
本発明は、建物の雨樋内を流れる雨水を取水して貯留タンク内に貯留する雨水貯留装置に関するものである。
【背景技術】
【０００２】
従来、建物の雨樋内を流れる雨水を取水して貯留タンク内に貯留する雨水貯留装置が提案されているところである。該雨水貯留装置を用いることによって、通常であればそのまま排水溝等に流入させて廃棄してしまう該雨水を貯留して様々な用途に有効に活用することができ、上水を節約することにもつながる。また、とりわけ降雨量が多い際には該雨水をそのまま排水溝等に流入させて廃棄してしまうと該排水溝等から該雨水が溢れてしまう場合があるところ、該雨水貯留装置を用いることによって、該貯留タンク内に該雨水を一時的に貯留しておいて該排水溝等から該雨水が溢れ出すことを防止することができる。
【０００３】
ここで、該雨水貯留装置にあっては、いかなる手段を用いて該雨樋と該貯留タンクとを連結する導水路に該雨水を案内するかが問題となる。例えば、雨樋から導水路を分岐させる分岐部が該雨樋を接続する外管と該導水路を接続する内管とから形成されることによって該導水路に雨水を案内する雨水貯留装置（例えば、特許文献１参照。）、雨樋から導水路を分岐させる分岐部が該導水路を接続する外筒と上端部がテーパー状に形成された内筒とから形成されることによって該内筒と該外筒との間に貯留された雨水を該導水路に案内する雨水貯留装置（例えば、特許文献２参照。）、そして雨樋の途中に導水路への分岐部を設けるとともに雨樋の端部に雨水の流通を阻害する障害物を設けることによって該雨樋内を逆流する雨水を該導水路に案内する雨水貯留装置（例えば、特許文献３参照。）等が提案されている。
【０００４】
また、従来提案されている建物の雨樋内を流れる雨水を取水して貯留タンク内に貯留する雨水貯留装置には、複数の該貯留タンクを送水路によって相互に連結した雨水貯留装置が提案されている。該雨水貯留装置のように複数の小型の貯留タンクを用いることによって、単一の大型の貯留タンクを用いるよりも、費用やスペース等に応じて該貯留タンクの台数を適宜増減することができるとともに、種々の大きさ又は形状の貯留タンクを組み合わせて用いることもでき、また個々の該貯留タンク内には少量の雨水が貯水されているに過ぎないから該雨水が内部に貯留された状態で該貯留タンクを移動させることも比較的容易である。
【０００５】
このような雨水貯留装置として、例えば、一方の貯留タンクには雨樋と連結する導水路を接続するとともに他方の貯留タンクには蛇口等の給水器具を取り付けた複数の貯留タンクを送水路によって相互に連結した雨水貯留装置（例えば、特許文献４参照。）、送水路によって相互に連結した複数の貯留タンクを上段と下段に配置して一台の貯留タンクには雨樋と連結する導水路を接続するとともに他の貯留タンクには給水器具を取り付けた雨水貯留装置（例えば、特許文献５参照。）、上部に取り付けられた送水路によって一列に相互に連結された複数の貯留タンクを備えておりその内の一台の貯留タンクには雨樋と連結する導水路を接続した雨水貯留装置（例えば、特許文献６参照。）等が提案されている。
【０００６】
そして、従来提案されている建物の雨樋内を流れる雨水を取水して貯留タンク内に貯留する雨水貯留装置には、該貯留タンク内に貯留された雨水の水位を計測するための水位計を備えた雨水貯留装置が提案されている（例えば、特許文献７参照。）。
【先行技術文献】
【特許文献】
【０００７】
【特許文献１】特開２００３−３５２７号公報
【特許文献２】特開２０００−３５２０７９号公報
【特許文献３】実開平７−２５０５５号公報
【特許文献４】特開２００９−１５５９１９号公報
【特許文献５】登実３１７４２７５号公報
【特許文献６】登実３１４８７９３号公報
【特許文献７】特開２００１−２７９７２９号公報
【発明の概要】
【発明が解決しようとする課題】
【０００８】
まず、上記の従来技術に係る雨水貯留装置は、例えば特許文献１ないし３に記載されている雨水貯留装置のように、建物の雨樋と該雨樋内を流れる雨水を取水して貯留する貯留タンクとを連結する導水路とを単純に分岐させるものに過ぎなかった。
【０００９】
そこで、本発明が解決しようとする第一の課題は、建物の雨樋内を流れる雨水を取水して貯留タンク内に貯留する雨水貯留装置に関し、該雨樋内を流れる雨水の量及び該貯留タンク内に貯留された雨水の量に基づいて該雨樋と該貯留タンクに連結する導水路との流路の切替えを行うことができる雨水貯留装置を提供することにある。
【００１０】
次に、上記の従来技術に係る雨水貯留装置は、例えば特許文献４ないし６に記載されている雨水貯留装置のように、複数の該貯留タンクを相互に連結するに際して単純に管状の送水路によって連結するに過ぎなかったため、該送水路による雨水の流通が滞ってしまうという問題があった。
【００１１】
そこで、本発明が解決しようとする第二の課題は、建物の雨樋内を流れる雨水を取水して貯留タンク内に貯留する雨水貯留装置に関し、複数の該貯留タンクを相互に連結する送水路による雨水の流通を円滑に行うことができる雨水貯留装置を提供することにある。
【００１２】
また、上記の従来技術に係る雨水貯留装置は、貯留タンクとしては種々の貯水用容器を用いることができるところ、特許文献６及び７に記載されている雨水貯留装置のように蛇口を備えているものもあれば備えていないものもある。そうすると、蛇口を備えている貯留タンクであればその内部に貯留されている雨水を簡便に取り出すことができるが、蛇口を備えていない貯留タンクである場合にはその内部に貯留されている雨水を取り出すための手段が必要となる。
【００１３】
そこで、本発明が解決しようとする第三の課題は、建物の雨樋内を流れる雨水を取水して貯留タンク内に貯留する雨水貯留装置に関し、該貯留タンク内に貯留されている雨水を簡便に取り出すための手段を備えた雨水貯留装置を提供することにある。
【００１４】
そして、上記の従来技術に係る雨水貯留装置は、例えば特許文献７に記載されている雨水貯留装置のように、該貯留タンク内に貯留された雨水の静水圧を計測して該貯留タンク内の水位を表示する水位計を備えているが、大掛かりな装置であるために費用がかかる等の問題があった。
【００１５】
そこで、本発明が解決しようとする第四の課題は、建物の雨樋内を流れる雨水を取水して貯留タンク内に貯留する雨水貯留装置に関し、該貯留タンク内に貯留された雨水の水位を簡便に計測するための手段を備えた雨水貯留装置を提供することにある。
【課題を解決するための手段】
【００１６】
本発明は、上記の各課題を解決するために提案されたものであり、以下の構成を有するものである。以下では、本発明の構成を理解することを補助するために、本願に添付した図面に表示した番号及び符号をあわせて記載する。
【００１７】
本発明の第一の課題を解決するため、請求項１に係る雨水貯留装置１は、建物の雨樋Ａ内を流れる雨水を取水して貯留タンク内に貯留する雨水貯留装置であって、取水機構２と、貯留タンク３と、導水路４とからなる。取水機構２は、切替え羽２１と、分水器２２と、バランス部材２３と、錘容器２４と、錘水路２５と、開閉糸２６とからなる。切替え羽２１は、平板状の部材であって、雨水排出口２１２ａが穿設されているととともに、開閉糸取付孔２１２ｂが相対する位置に二か所穿設されており、分水器２２に取り付けられている。分水器２２は、器状の部材であって、複数の管継手が設けられており、導水路４を接続するための菅継手２２ａ，ｂよりも第一の錘水路２５を接続するための菅継手２２ｃが高い位置に設けられており、分水器２２における相対する位置に第一の開閉糸案内部２２ｄが二か所設けられているとともに、分水器２２における相対する位置であって第一の開閉糸案内部２２ｄよりも高い位置に第二の開閉糸案内部２２ｅが二か所設けられている。第一の開閉糸２６１は二本のひも状部材であり、それぞれの一端はバランス部材２３に取り付けられており、それぞれの他端は相対するように第一の開閉糸案内部２２ｄを介して開閉糸取付孔２１２ｂに取り付けられている。第二の開閉糸２６２は二本のひも状部材であり、それぞれの一端は錘容器２４に取り付けられており、それぞれの他端は相対するように第二の開閉糸案内部２２ｅを介して第二の開閉糸案内部２２ｅに対向する位置にある開閉糸取付孔２１２ｂと連結されている。錘容器２４は、第一の錘水路２５１によって分水器２２と連結されている。貯留タンク３は、導水路４によって分水器２２と連結されているとともに、第二の錘水路２５２によって錘容器２４と連結されている。
【００１８】
本発明の第二の課題を解決するため、請求項２に係る蓋部材３２は、請求項１に記載した雨水貯留装置における貯留タンクに用いる蓋部材であって、蓋部材３２には、キャップ部３２１１と、菅継手３２１２と、空気孔パイプ３２１３とが備えられており、キャップ部３２１１には雨水流出入孔３２１１ａと空気孔３２１１ｂとが穿設されており、菅継手３２１２は、二股の菅継手であって、雨水流出入孔３２１１ａの周縁に立設されており、空気孔パイプ３２１３は、パイプ本体３２１３ａと、フロート球３２１３ｂと、栓部材３２１３ｃとからなり、パイプ本体３２１３ａは、筒状の部材であって、空気孔３２１１ｂの周縁に立設されており、フロート球３２１３ｂは、パイプ本体３２１３ａ内に保持されており、栓部材３２１３ｃは、空気口が穿設されており、パイプ本体３２１３ａの上部に取り付けられている。
【００１９】
本発明の第三の課題を解決するため、請求項３に係るサイフォン機構６は、請求項１に記載した雨水貯留装置における貯留タンクに用いるサイフォン機構であって、サイフォンキャップ６１と、吸水チューブ６２と、給水チューブ６３とからなる。サイフォンキャップ６１には、雨水流出入孔６１ｂ及び空気孔６１ｄが穿設されているとともに、形状及び／又は大きさが異なる複数の空気注入孔６１ｅ，ｆが穿設されており、雨水流出入孔６１ｂを挿通するようにして上下面の開放された筒状のチューブ継手６１ｃが取り付けられており、チューブ継手６１ｃの一端には吸水チューブ６２が取り付けられるとともに他端には給水チューブ６３が取り付けられている。
【００２０】
本発明の第四の課題を解決するため、請求項４に記載した水位表示部材７は、請求項１に記載した雨水貯留装置に用いる水位表示部材であって、菅状部材７１と、管継手７２と、糸部材７３と、吊下げ部材７４と、錘部材７５とからなる。菅状部材７１は、光を反射する色彩と光を吸収する色彩とがその外面に施されており、管継手７２は、菅状部材７１の両端部を連結してリング状に形成しており、糸部材７３は、リング状に形成された菅状部材７１の相対する箇所を連結して楕円状に形成し、吊下げ部材７４は、ひも状の部材であって、その一端が貯留タンク３における口部３１ａに取り付けられ、菅状部材７１に穿設された孔部７１ｄを挿通させ、その他端には錘部材７５が取り付けられている。
【発明の効果】
【００２１】
本発明に係る雨水貯留装置は、上記の通りの構成であるから、以下のような効果を奏することができる。
【００２２】
まず、請求項１に記載した雨水貯留装置１は、上記のように、切替え羽２１が第一の開閉糸２６１によって第一の開閉糸案内部２２ｄを介してバランス部材２３を吊り下げられていることから、雨樋Ａ内を流れる雨水の量及び貯留タンク３内に貯留された雨水が少ない場合には、切替え羽２１が開いた状態になっているために雨樋Ａ内を閉鎖した状態になり雨樋Ａ内を流れる雨水を取水して導水路４を介して貯留タンク３内に流入させることができる。
【００２３】
そして、切替え羽２１が第二の開閉糸２６２によって第二の開閉糸案内部２２ｅを介して錘容器２５を吊り下げられていることから、雨樋Ａ内を流れる雨水の量及び貯留タンク３内に貯留された雨水が多い場合には、分水器２２内の水位が上昇して雨水が第一の錘水路２５１を介して錘容器２４内に流入するとともに、貯留タンク３内の水位が上昇して雨水が第二の錘水路２５２を介して錘容器２４内に流入し、切替え羽２１が閉じた状態になるために雨樋Ａ内を開放した状態になり雨樋Ａ内を流れる雨水をそのまま雨樋Ａ内に流入させることができる。
【００２４】
従って、請求項１に記載した雨水貯留装置は、建物の雨樋内を流れる雨水を取水して貯留タンク内に貯留する雨水貯留装置に関し、該雨樋内を流れる雨水の量及び該貯留タンク内に貯留された雨水の量に基づいて該雨樋と該貯留タンクに連結する導水路との流路の切替えを行うことができる雨水貯留装置を提供するという本発明の第一の課題を解決することができる。
【００２５】
請求項２に記載した請求項１に係る雨水貯留装置における前記貯留タンクに用いる蓋部材は、上記のように、菅継手３２１２を二股の菅継手とすることによって、貯留タンク３内への雨水の流入口と貯留タンク３内からの雨水の流出口とを別個のものとすることができるため、貯留タンク３を複数設ける場合にこれを相互に連結する送水路５による雨水の流通を円滑に行うことができる。また、空気孔パイプ３２１３を設けることによって、貯留タンク３が満水になったときにはフロート球３２１３ｂが上昇して栓部材３２１３ｃの下面に当接し、その空気口を閉鎖することができるため、貯留タンク３内に貯留された雨水の噴出を防止しながら貯留タンク３内の空気の出し入れを行うことができる。
【００２６】
従って、請求項２に記載した請求項１に係る雨水貯留装置における前記貯留タンクに用いる蓋部材は、建物の雨樋内を流れる雨水を取水して貯留タンク内に貯留する雨水貯留装置に関し、複数の該貯留タンクを相互に連結する送水路による雨水の流通を円滑に行うことができる雨水貯留装置を提供するという本発明の第二の課題を解決することができる。
【００２７】
請求項３に記載した請求項１に係る雨水貯留装置における前記貯留タンクに用いるサイフォン機構は、空気孔６１ｄを指等で閉塞しながら適当な空気を注入する器具を用いて空気注入孔６１ｅ又はｆから貯留タンク３内に空気を注入し、給水チューブ６２から雨水が流出し始めたならば、空気孔６１ｄから指等を外すと、サイフォン効果によって、雨水Ｂが吸水チューブ６２及び給水チューブ６３を介して貯留タンク３の外部へと流出し続ける。
【００２８】
従って、請求項３に記載した請求項１に係る雨水貯留装置における前記貯留タンクに用いるサイフォン機構は、建物の雨樋内を流れる雨水を取水して貯留タンク内に貯留する雨水貯留装置に関し、該貯留タンク内に貯留されている雨水を簡便に取り出すための手段を備えた雨水貯留装置を提供するという本発明の第三の課題を解決することができる。
【００２９】
請求項４に記載した請求項１に係る前記雨水貯留装置に用いる水位表示部材は、上記の通り、容器本体３１内に貯留された雨水Ｂの水面に浮かぶ菅状部材７１がその外面に光を反射する色彩と光を吸収する色彩とを施されているため、使用者は貯留タンク３内に貯留された雨水Ｂの水位を外部から容易に視認することができる。
【００３０】
そうすると、請求項４に記載した請求項１に係る前記雨水貯留装置に用いる水位表示部材によれば、建物の雨樋内を流れる雨水を取水して貯留タンク内に貯留する雨水貯留装置に関し、該貯留タンク内に貯留された雨水の水位を簡便に計測するための手段を備えた雨水貯留装置を提供するという本発明が解決しようとする第四の課題を解決することができる。
【図面の簡単な説明】
【００３１】
【図１】本発明の一実施形態に係る雨水貯留装置を示した概略図である。
【図２】本発明の一実施形態に係る雨水貯留装置における切替え羽を示した平面図である。
【図３】本発明の一実施形態に係る雨水貯留装置における切替え羽を示した正面図である。
【図４】本発明の一実施形態に係る雨水貯留装置における切替え羽を示したＡ−Ａ線切断部端面図である。
【図５】本発明の一実施形態に係る雨水貯留装置における分水器を示した平面図である。
【図６】本発明の一実施形態に係る雨水貯留装置における分水器を示した正面図である。
【図７】本発明の一実施形態に係る雨水貯留装置における分水器を示した側面図である。
【図８】本発明の一実施形態に係る雨水貯留装置における分水器に切替え羽を取り付けた状態を示した一部断面図である。
【図９】本発明の一実施形態に係る雨水貯留装置における貯留タンクを示した正面図である。
【図１０】本発明の一実施形態に係る雨水貯留装置における貯留タンクを分解した状態を示した図である。
【図１１】本発明の一実施形態に係る雨水貯留装置における継手付きキャップ部材を示した切断部端面図である。
【図１２】本発明の一実施形態に係る雨水貯留装置における取付け部材を示した切断部端面図である。
【図１３】本発明の一実施形態に係る雨水貯留装置におけるサイフォン機構を使用する状態を示した使用状態説明図である。
【図１４】本発明の一実施形態に係る雨水貯留装置におけるサイフォン機構を示した分解図である。
【図１５】本発明の一実施形態に係る雨水貯留装置におけるサイフォンキャップを示した平面図である。
【図１６】本発明の一実施形態に係る雨水貯留装置におけるサイフォンキャップを示したＢ−Ｂ線切断部端面図である。
【図１７】本発明の一実施形態に係る雨水貯留装置における水位表示部材を示した平面図である。
【発明を実施するための形態】
【００３２】
以下、本発明の一実施形態に係る雨水貯留装置の構造及びその使用態様について添付図面に基づいて説明する。
【００３３】
雨水貯留装置１は、図１に図示するように、取水機構２と、貯留タンク３と、導水路４と、送水路５と、サイフォン機構６と、水位表示部材７とからなる。
【００３４】
取水機構２は、図１に図示するように、雨樋Ａ内を流れる雨水を取水するとともに、雨樋Ａ内を流れる雨水の量及び貯留タンク３内に貯留された雨水の量に基づいて雨樋Ａと導水路４との流路の切替えを行うための機構であり、切替え羽２１と、分水器２２と、バランス部材２３と、錘容器２４と、錘水路２５と、開閉糸２６と、雨樋取付き具２７とからなる。
【００３５】
切替え羽２１は、図２ないし４に図示するように、羽先部２１１と、羽基部２１２と、屈曲部２１３と、雨樋取付き部２１４と、分水器取付き部２１５とからなる。尚、切替え羽２１の全体的な形状及び大きさは、雨樋Ａの内径及び形状にあわせて様々な形状及び大きさのものとすることができる。
【００３６】
羽先部２１１は、平面視略半円状の平板部材であって、その周縁２１１ａが肉薄になっており、羽基部２１２の上下両辺の左側からそれぞれ延設されている。降雨量が少ないときには、羽先部２１１の周縁２１１ａが雨樋Ａの内壁に接していることによって、雨樋Ａの内壁を流れる雨水を切替え羽２１の上面で受け止めて分水器２２へと案内することができる。
【００３７】
羽基部２１２は、平面視略横向き台形状の平板部材であって、その右側には切欠きが設けられているとともに、その下面には上下両辺に沿って立壁２１２ｄが設けられている。立壁２１２ｄによって、羽基部２１２の縁部における強度を向上することができ、好適である。また、羽基部２１２は、雨水排出孔２１２ａが４ヵ所穿設されており、上面に雨水排出孔２１２ａを取り囲むようにして立壁２１２ｃが形成されている。即ち、雨水排出孔２１２ａは、降雨量が多いときには雨樋Ａの内部を流れる雨水が多量となって、これを切替え羽２１がすべて受け止めてしまうと閉じ難くなってしまうため、雨樋Ａの内部を流れる雨水の一部をそのまま雨樋Ａの下部へと流し込むためのものである。また、立壁２１２ｃが形成されていることによって、切替え羽２１が受け止める雨量が少ないときには雨水排出孔２１２ａから雨水が排出されてしまうことを防止できる。また、羽基部２１２は、開閉糸２６を取り付けるための平面視上下両辺近傍にそれぞれ開閉糸取付孔２１２ｂが２ヵ所穿設されている。雨水誘導孔２１２ａ及び開閉糸取付孔２１２ｂは屈曲部２１３を挟んで相対する位置に穿設されている。
【００３８】
屈曲部２１３は、羽基部２１２の中心を横断するようにして半円筒状に設けられており、屈曲部２１３に沿って溝が設けられている。該溝が設けられていることによって、羽先部２１１及び羽基部２１２が上下に動くようになっている。
【００３９】
雨樋取付き部２１４は、正面視略直角三角形状の平板部材であって、その横の長さは取水機構２を取り付ける雨樋Ａの内径に略等しく、屈曲部２１３の下部に沿って設けられている。また、雨樋取付き部２１４の右側には、分水器取付き部２１５が四角柱状に突設するように設けられている。
【００４０】
分水器２２は、図５ないし８に図示するように、切替え羽２１によって案内された雨水を貯留タンク３及び錘容器２４に分配するためのものであって、その全体的な形状は側面視上方に向かって拡がるように両側面に傾斜を設けた器状の部材である。
【００４１】
分水器２２には、第一の導水路４１を接続するための第一の菅継手２２ａが最下部に設けられており、第二の導水路４２を接続するための第二の菅継手２２ｂが第一の菅継手２２ａよりも高い位置に設けられており、第一の錘水路２５１を接続するための第三の菅継手２２ｃが第二の継手よりも高い位置に設けられている。即ち、分水器２２内に案内される雨水が少ないときには第一の菅継手２２ａから第一の導水路４１を介して第一の貯留タンク３Ａへと雨水が送り出される。また、分水器２２内に案内される雨水が若干多いときには第一の導水路４１だけでは雨水の送出を十分に行うことができない場合があるため、このような場合には第二の菅継手２２ｂから第二の導水路４２を介して第二の送水路５２の途中に設けられた菅継手へと雨水が送り出される。そして、分水器２２内に案内される雨量が非常に多いときには切替え羽２１を閉じるため、第三の菅継手２２ｃから第一の錘水路２５１を介して錘容器２４へと雨水が送り出される。分水器２２における菅継手の数は、図では３つであるが、導水路の数等に応じて適宜増減させることができる。
【００４２】
分水器２２の側面視両側面には、その相対する位置に第一の開閉糸２６１を案内するための第一の開閉糸案内部２２ｄとして貫通孔が２ヵ所穿設されているとともに、その相対する位置に第二の開閉糸２６２を案内するための第二の開閉糸案内部２２ｅとしてその上端の開放されたスリットが２ヵ所設けられている。
【００４３】
分水器２２の平面視左側には雨樋Ａの外周面上に取り付くための平面視半円状の切欠き２２ｆが設けられている。もっとも、切欠き２２ｆの形状及び大きさは、雨樋Ａの外周面の形状及び大きさにあわせて様々な形状及び大きさにすることができる。また、分水器２２の正面視左側の下部には、分水器取付き部２１５を嵌合させることによって切替え羽２１を分水器２２に取り付けるための切替え羽取付け部２２ｇが凹状に設けられている。尚、分水器２２の底面は切替え羽取付け部２２ｇから第一の菅継手２２ａに向かって下るようにして傾斜を付けると、雨水が円滑に第一の菅継手２２ａに流入して好適である。そして、分水器２２の正面視左側の下部には、雨樋取付き具２７を巻き付けるための脚部２２ｈが下方に向かって延設されている。即ち、脚部２２ｈは、棒状の部材であって、端部が鉤状に折れ曲がった形状の部材である。
【００４４】
バランス部材２３は、図１に図示するように、切替え羽２１を開いた状態にするための部材であって、例えば風等によって揺動しないように公知の飲料用のペットボトル等に水又は砂等の重しを収納した部材を用いることができる。バランス部材２３は、第一の開閉糸２６１によって開閉糸取付孔２１２ｂと連結されており、分水器２２の下部に吊り下げられている。バランス部材２３は、該重しの種類や量を調節することによって、切替え羽２１を閉じる時期を自在に調節することができる。即ち、錘容器２４内に貯留される雨水が比較的少量である場合に切替え羽２１を閉じることを所望するときには、例えばバランス部材２３内に収納する重しを少量にすればよい。一方、錘容器２４内に貯留される雨水が比較的多量である場合に切替え羽２１を閉じることを所望するときには、例えばバランス部材２３内に収納する重しを多量にすればよいのである。
【００４５】
錘容器２４は、図１に図示するように、その内部に雨水を貯留することによって切替え羽２１を閉じた状態にするための部材であって、例えば公知の飲料用のペットボトル等を用いることができる。錘容器２４は、その大きさを種々の容器に変更することによって、切替え羽２１を閉じる時期を自在に調節することができる。とりわけ降雨量が多いときには切替え羽２１を閉じるために重量をかける必要があるため、その際には比較的大きな錘容器２４を用いるのが好適である。錘容器２４は、第二の開閉糸２６２によって開閉糸取付孔２１２ｂと連結されており、分水器２２の下部に吊り下げられている。尚、錘容器２４を蓋部材３２よりも下方に位置するように吊下げることによって、貯留タンク３が満水になった際に、円滑に雨水を供給することができ、好適である。また、錘容器２４は、第一の錘水路２５１によって第三の菅継手２２ｃと連結されており、第三の菅継手２２ｃから第一の錘水路２５１を介して雨水が送水される。更に、錘容器２４は、第二の錘水路２５２によって第三の貯留タンク３Ｃに設けられている菅継手３２１２と連結されており、第三の貯留タンク３Ｃから第二の錘水路２５２を介して雨水が送水される。
【００４６】
錘水路２５は、図１に図示するように、フレキシブルなチューブ状の部材であって、例えば公知のゴムホースやビニールチューブ等を用いることができる。第一の錘水路２５１は、第三の菅継手２２ｃと錘容器２４とを連結しており、第三の継手２２ｃから雨水が送水される。第二の錘水路２５２は、第三の貯留タンク３Ｃに設けられている菅継手３２１２と錘容器２４とを連結しており、第三の貯留タンク３Ｃが満水になった際に第三の貯留タンク３Ｃから雨水が送水される。
【００４７】
開閉糸２６は、例えばナイロン糸等の公知の各種のひも状部材を用いることができる。第一の開閉糸２６１は、図８に図示するように、バランス部材２３を吊り下げて切替え羽２１を開いた状態にするための部材であって、２本のひも状部材であり、それぞれの一端がバランス部材２３に取り付けられており、それぞれの他端は相対するように第一の開閉糸案内部２２ｄを介して開閉糸取付孔２１２ｂに取り付けられている。第二の開閉糸２６２は、図８に図示するように、錘容器２４を吊り下げて切替え羽２１を閉じた状態にするための部材であって、２本のひも状部材であり、それぞれの一端は錘容器２４に取り付けられており、それぞれの他端は相対するように第二の開閉糸案内部２２ｅを介して第二の開閉糸案内部２２ｅに対向する位置にある開閉糸取付孔２１２ｂと連結されている。尚、使用者は、開閉糸２６の長さを調節してバランス部材２３及び錘容器２４の吊下げ位置を調節することによって切替え羽２１を閉じる時期を自在に調節することができる。
【００４８】
雨樋取付き具２７は、図１に図示するように、雨樋Ａに分水器２２を取り付けるための部材であって、例えば公知のベルト部材を用いることができる。即ち、雨樋取付き具２７は、雨樋Ａの外周面に脚部２２ｈを接して雨樋Ａと脚部２２ｈに巻き付けることによって雨樋Ａに分水器２２を取り付けることができる。ベルト部材を用いることによって、雨樋Ａに対する分水器２２の着脱を簡便に行うことができる。
【００４９】
切替え羽２１が第一の開閉糸２６１によって第一の開閉糸案内部２２ｄを介してバランス部材２３を吊り下げられていることから、雨樋Ａ内を流れる雨水の量が少なく貯留タンク３内に貯留された雨水が少ない場合には、切替え羽２１が開いた状態になっているために雨樋Ａ内を閉鎖した状態になり雨樋Ａ内を流れる雨水を取水して導水路４を介して貯留タンク３内に流入させることができる。
【００５０】
そして、切替え羽２１が第二の開閉糸２６２によって第二の開閉糸案内部２２ｅを介して錘容器２５を吊り下げられていることから、雨樋Ａ内を流れる雨水の量が多く貯留タンク３内に貯留された雨水が多い場合には、分水器２２内の水位が上昇して雨水が第一の錘水路２５１を介して錘容器２４内に流入するとともに、貯留タンク３内の水位が上昇して雨水が第二の錘水路２５２を介して錘容器２４内に流入し、切替え羽２１が閉じた状態になるために雨樋Ａ内を開放した状態になり雨樋Ａ内を流れる雨水をそのまま雨水Ａ内に流入させることができる。
【００５１】
そうすると、雨樋Ａと導水路４との自動的な流路の切替えは、例えば電動弁等の電力を用いた機器によっても行うことができるが、これには複雑で大掛かりな装置を要することから多額の費用や広いスペースが必要となり、また電気工事等の大掛かりな工事が必要となるとともに、屋外に設置することから漏電等の電気に起因する事故が生じる恐れもある。上記のような取水機構２によれば、電力を用いていないことから、このような問題を生じることはない。
【００５２】
使用者は、雨樋Ａの外周面において分水器２２を取り付ける所望の位置に切替え羽２１を嵌入し得る大きさの孔部を雨樋Ａの外周面から切れ込むようにして穿設する。使用者は、孔部から切替え羽２１を嵌入し、周縁２１１ａが雨樋Ａの内壁に接するように切替え羽２１を広げた状態にして、雨樋取付き部２１４を雨樋Ａ内に架け渡すようにして切替え羽２１を設置する。使用者は、分水器取付き部２１５を切替え羽取付け部２２ｇに嵌合させるとともに、雨樋Ａとこれに並行する脚部２２ｈに雨樋取付き具２７を巻き付けることによって雨樋Ａに分水器２２を取り付ける。
【００５３】
貯留タンク３は、図９に図示するように、容器本体３１と蓋部材３２とからなる。貯留タンク３は、図１では３台設置されているが、雨水貯留装置１を設置するスペース等に応じて適宜増減することが可能である。
【００５４】
容器本体３１は、図１０に図示するように、雨水をその内部に貯留するための容器であって、その上部に外周面に雄螺子３１ｂが切られている口部３１ａを備えており、例えば公知の飲料用のペットボトルやポリタンクを用いることができる。このような容器本体３１であれば、雨水をその内部に貯留したまま所望の場所に移動させて、その内部に貯留した雨水を利用することができる。尚、貯留タンク３は、図１では同じ形状で同じ大きさの容器本体３１を用いているが、異なる形状あるいは異なる大きさの容器本体３１を適宜組み合わせて用いることも可能である。
【００５５】
蓋部材３２は、図１１及び１２に図示するように、継手付きキャップ部材３２１と取付け部材３２２とからなる。継手付きキャップ部材３２１と締付け部材３２２とを一体的に形成することも可能であるが、継手には導水路４が接続されていることから蓋部材３２を回動させて口部３１ａを閉塞することが困難であるため、これらを別個の部材として形成するのが好適である。
【００５６】
継手付きキャップ部材３２１は、図１１に図示するように、キャップ部３２１１と、菅継手３２１２と、空気孔パイプ３２１３とからなる。キャップ部３２１１は、平面視正円状の平板部材であって、いずれも平面視正円状の雨水流出入孔３２１１ａと空気孔３２１１ｂとが穿設されており、周縁には鍔部３２１１ｃが形成されており、鍔部の下面には立壁状の突出部３２１１ｄが設けられている。
【００５７】
菅継手３２１２は、導水路４及び送水路５を接続するための二股の菅継手であって、雨水流出入孔３２１１ａの周縁に立設されている。菅継手３２１２を二股の菅継手とすることによって、容器本体３１内への雨水の流入口と容器本体３１内からの雨水の流出口とを別個のものとすることができるため、貯留タンク３を複数設ける場合に貯留タンク３を相互に連結する送水路５による雨水の流通を円滑に行うことができる。
【００５８】
菅継手３２１２の形状は、正面視Ｔ字形の単純なものであってもよいが、正面視Ｙ字形あるいは図示するようなＦ字形のものとすると、貯留タンク３を配置している順序に沿って雨水を貯留していくことができ、好適である。即ち、上段の流入継手３２１２ａには貯留タンク３の内部へと雨水を流入させるための導水路４又は送水路５を接続するとともに、下段の流出継手３２１２ｂには貯留タンク３の内部から雨水を流出させるための送水路５を接続する。尚、菅継手３２１２の端部の外周面には外側にわずかに突出した係止部３２１２ｃを設けると、導水路４又は送水路５が不用意に外れ難くなって、好適である。
【００５９】
空気孔パイプ３２１３は、容器本体３１内に貯留された雨水Ｂの噴出を防止しながら容器本体３１内の空気の出し入れを行うための部位であって、パイプ本体３２１３ａと、フロート球３２１３ｂと、栓部材３２１３ｃとからなる。パイプ本体３２１３ａは、円筒状の部材であって、空気孔３２１１ｂの周縁に立設されている。フロート球３２１３ｂは、例えば軟質のゴム製小球部材を用いることができ、パイプ本体３２１３ａ内に保持されている。栓部材３２１３ｃは、円柱状の部材であって、空気口が穿設されており、上端の周縁には鍔部が設けられていて、下端はフロート球３２１３ｂの形状にあわせて丸みを帯びた凹部が形成されており、パイプ本体３２１３ａの上部に取り付けられている。貯留タンク３が満水になったとき、フロート球３２１３ｂが上昇して栓部材３２１３ｃの下面に当接し、その空気口を閉塞することによって、容器本体３１内に貯留された雨水の噴出を防止することができる。
【００６０】
取付部材３２２は、上面の閉鎖された略円筒状の部材であって、上面には孔部３２２ａが設けられており、その内周面下部には雌螺子３２２ｂが切られている。上記のように口部３１ａの外周面には雄螺子３１ｂが切られているところ、取付部材３２２を口部３１ａに着脱自在に取り付けることができる。
【００６１】
使用者は、継手付きキャップ部材３２１を鍔部３２１１ｃの下面が口部３１ａの上端部に接するように設置して口部３１ａを閉塞する。使用者は、継手３２１２と空気孔パイプ３２１３とを孔部３２２ａに挿通させるようにして、継手付きキャップ部材３２１の上から取付部材３２２を被せて設置し、雌螺子３２２ｂを雄螺子３１ｂに嵌め合わせて取付部材３２２を回動させ口部３１ａに取り付ける。
【００６２】
導水路４及び送水路５はいずれも、フレキシブルなチューブ状の部材であって、例えば公知のゴムホースやビニールチューブ等を用いることができる。図１に図示するように、第一の導水路４１は、第一の菅継手２２ａと第一の貯留タンク３Ａに係る流入継手３２１２ａとを連結しており、分水器２２から第一の貯留タンク３Ａへと雨水が送り出される。第一の送水路５１は、第一の貯留タンク３Ａに係る流出継手３２１２ｂと第二の貯留タンク３Ｂに係る流入継手３２１２ａとを連結しており、第一の貯留タンク３Ａが満水になった際に第一の貯留タンク３Ａから第二の貯留タンク３Ｂへと雨水が送り出される。第二の送水路５２は、第二の貯留タンク３Ｂに係る流出継手３２１２ｂと第三の貯留タンク３Ｃに係る流入継手３２１２ａとを連結しており、第二の貯留タンク３Ｂが満水になった際に第二の貯留タンク３Ｂから第三の貯留タンク３Ｃへと雨水が送り出される。第二の送水路５２の途中には二股の管継手が取り付けられており、第二の導水路４２が連結されている。
【００６３】
ここで、容器本体３１としては前記の通り公知の飲料用のペットボトルやポリタンク等の種々の貯水用容器を用いることができるところ、蛇口３１ｃを備えているものもあれば備えていないものもある。そうすると、蛇口３１ｃを備えている容器本体３１であればその内部に貯留されている雨水を簡便に取り出すことができるが、蛇口３１ｃを備えていない容器本体３１である場合にはその内部に貯留されている雨水を取り出すための手段が必要となる。
【００６４】
そこで、このような場合には、サイフォン機構６を用いることによって、電動式ポンプ等を用いることなく、容器本体３１の内部に貯留されている雨水を簡便に取り出すことができる。即ち、サイフォン機構６は、図１３及び１４に図示するように、サイフォンキャップ６１と、吸水チューブ６２と、給水チューブ６３とからなる。
【００６５】
サイフォンキャップ６１は、図１５及び１６に図示するように、上面を閉鎖した円筒形の部材である。もっとも、サイフォンキャップ６１は、口部３１ａに取り付けることができれば、特にその形状は限定されない。サイフォンキャップ６１の内周面下部には雌螺子６１ａが切られており、前記の通り口部３１ａの外周面には雄螺子３１ｂが切られているところ、サイフォンキャップ６１を口部３１ａに着脱自在に取り付けることができる。サイフォンキャップ６１の上面中央には平面視正円状の雨水流出入孔６１ｂが穿設されており、雨水流出入孔６１ｂを挿通するようにチューブ継手６１ｃが取り付けられている。チューブ継手６１ｃは、上下面の開放された円筒形の部材であり、その上下部のそれぞれの外周面には外側にわずかに突出した係止部を設けると、吸水チューブ６２及び給水チューブ６３が不用意に外れ難くなって、好適である。サイフォンキャップ６１には容器本体３１内の空気の出し入れを行うための空気孔６１ｄが穿設されている。また、サイフォンキャップ６１には容器本体３１内に空気を注入するための平面視正円状の空気注入孔６１ｅ及び６１ｆが穿設されており、空気注入孔６１ｆには円筒状のパイプ部材が取り付けられている。空気を注入する器具には種々の器具がありその空気を送出する箇所も種々の形状及び大きさをしているところ、形状や大きさの異なる複数の孔部を設けることによって種々の空気を注入する器具を用いて貯留タンク３内に空気を注入することができ、好適である。例えば、球技用ボールの空気入れを用いる際には空気注入孔６１ｅに該空気入れの空気注入針を差し入れ、浮き輪用の空気入れを用いる際には空気注入孔６１ｆに該空気入れの空気注入ノズルを差し入れ、貯留タンク３内に空気を注入することができる。
【００６６】
吸水チューブ６２及び給水チューブ６３は、いずれもフレキシブルなチューブ状の部材であって、例えば公知のゴムホースやビニールチューブ等を用いることができる。吸水チューブ６２は、その一端が容器本体３１内部の底部まで伸びているとともに、その他端がチューブ継手６１ｃの容器本体３１の内部側に接続されている。給水チューブ６３は、その一端がチューブ継手６１ｃの容器本体３１の外部側に接続されているとともに、その他端が容器本体３１の外部へと延びている。
【００６７】
使用者は、サイフォンキャップ６１を口部３１ａに取り付けて、空気孔６１ｄ及び空気を注入する器具を接続していない空気注入孔を指等で閉塞しながら、適当な空気を注入する器具を用いて空気注入孔６１ｅ又は６１ｆから容器本体３１内に空気を注入する。使用者は、給水チューブ６２から雨水が流出し始めたならば、空気孔６１ｄから指等を外す。そうすると、サイフォン効果によって、雨水が吸水チューブ６２及び給水チューブ６３を介して容器本体３１の外部へと流出し続けることとなる。
【００６８】
水位表示部材７は、容器本体３１内に貯留された雨水の水位を表示するための部材である。即ち、容器本体３１としては前記の通り公知の飲料用のペットボトルやポリタンク等の種々の貯水用容器を用いることができるところ、このような貯水用容器には透明性の高いプラスチック材料等の透明な材料によって形成されたものもあれば、着色されたプラスチック材料等の色彩を帯びた材料によって形成されたものもある。そうすると、透明な材料によって形成された貯水用容器を容器本体３１として用いる場合には使用者は容器本体３１内に貯留された雨水の水位を外部から容易に視認することができるが、色彩を帯びた材料によって形成された貯水用容器を容器本体３１として用いる場合には使用者は容器本体３１内に貯留された雨水の水位を外部から容易には視認することができないという問題が生じる。そのような場合には、水位表示部材７を用いることによって、とりわけ色彩を帯びた部材によって形成された貯水用容器を容器本体３１として用いる場合であっても使用者は容器本体３１内に貯留された雨水Ｂの水位を外部から容易に視認することができるようになり、好適である。
【００６９】
水位表示部材７は、図１７に図示するように、菅状部材７１と、管継手７２と、糸部材７３と、吊下げ部材７４と、錘部材７５とからなる。
【００７０】
菅状部材７１は、いずれも中空のチューブ部材を３本束ねた部材であって、光を反射しない黒色を帯びたチューブ部材７１ａの両側に光を反射する白色又は銀色を帯びたチューブ部材７１ｂ及びｃを接着した部材であり、管継手７２の近傍には吊下げ部材７４を挿通するための孔部７１ｄが穿設されている。尚、菅状部材７１は、白色又は銀色を帯びたチューブ部材の両側に黒色を帯びたチューブ部材を接着した部材であってもよい。光を反射する白色又は銀色を帯びたチューブ部材７１ｂ及びｃを用いることによって使用者は容器本体３１の外部から菅状部材７１を容易に視認することができる。また、容器本体３１の内部に光が差し込む場合には、光を反射する白色又は銀色を帯びたチューブ部材のみを用いたのでは菅状部材７１を視認することがかえって困難になることもあるため、光を反射しない黒色を帯びたチューブ部材をあわせて用いることによって、そのような場合であっても使用者は容器本体３１の外部から菅状部材７１を容易に視認することができる。管継手７２は、菅状部材７１の両端部を連結してリング状に形成するための部材である。菅状部材７１をリング状に形成することによって、口部３１ａが小径であっても、使用者はリングを収縮させた上で口部３１ａを介して容器本体３１内に収容することができる。また、水位表示部材７は、容器本体３１内に貯留された雨水の水面上に水平に浮くように、全体的な重量のバランスをとるのが好適である。尚、前記の通り容器本体３１として用いる貯水用容器には様々な形状又は大きさのものがあるところ、使用者は容器本体３１の形状又は大きさにあわせて菅状部材７１を切り詰めて水位表示部材７の大きさを調節することができる。
【００７１】
水位表示部材７は、使用者が容器本体３１の外部から視認できるように、容器本体３１の内面の近傍に位置するように配置するのが好適である。そこで、リング状に形成されている菅状部材７１の相対する箇所を糸部材７３によって連結して楕円状に形成するとともに、その長軸を容器本体３１の横の長さに略等しい長さとし、その短軸を口部３１ａと容器本体３１の正面内壁との幅に略等しい長さとする。菅状部材７１を上記のように形成することによって、容器本体３１内で雨水上回転してしまうことを防止することができる。
【００７２】
また、吊下げ部材７４は、ひも状の部材であって、その一端が口部３１ａの近傍に取り付けられており、孔部７１ｄを挿通させ、その他端には錘部材７５が取り付けられている。錘部材７５によって、吊下げ部材７４は容器本体３１内で雨水によって揺動することがなくなり、好適である。菅状部材７１は、容器本体３１内に貯留された雨水の水位によって吊下げ部材７４に沿って上下に動くため、使用者は容器本体３１内に貯留された雨水の水位を簡便に計測することができるのである。
【符号の説明】
【００７３】
１  雨水貯留装置
２  取水機構
２１  切替え羽
２１１  羽先部
２１１ａ  周縁
２１２  羽基部
２１２ａ  雨水排出孔
２１２ｂ  開閉糸取付孔
２１２ｃ  立壁
２１２ｄ  立壁
２１３  屈曲部
２１４  雨樋取付き部
２１５  分水器取付き部
２２  分水器
２２ａ  第一の菅継手
２２ｂ  第二の管継手
２２ｃ  第三の管継手
２２ｄ  第一の開閉糸案内部
２２ｅ  第二の開閉糸案内部
２２ｆ  切欠き
２２ｇ  切替え羽取付け部
２２ｈ  脚部
２３  バランス部材
２４  錘容器
２５  錘水路
２５１  第一の錘水路
２５２  第二の錘水路
２６  開閉糸
２６１  第一の開閉糸
２６２  第二の開閉糸
２７  雨樋取付き具
３  貯留タンク
３Ａ  第一の貯留タンク
３Ｂ  第二の貯留タンク
３Ｃ  第三の貯留タンク
３１  容器本体
３１ａ  口部
３１ｂ  雄螺子
３１ｃ  蛇口
３２  蓋部材
３２１  継手付きキャップ部材
３２１１  キャップ部
３２１１ａ  雨水流出入孔
３２１１ｂ  空気孔
３２１１ｃ  鍔部
３２１１ｄ  突出部
３２１２  菅継手
３２１２ａ  流入継手
３２１２ｂ  流出継手
３２１２ｃ  係止部
３２１３  空気孔パイプ
３２１３ａ  パイプ本体
３２１３ｂ  フロート球
３２１３ｃ  栓部材
３２２  取付け部材
３２２ａ  孔部
３２２ｂ  雌螺子
４  導水路
４１  第一の導水路
４２  第二の導水路
５  送水路
５１  第一の送水路
５２  第二の送水路
６  サイフォン機構
６１  サイフォンキャップ
６１ａ  雌螺子
６１ｂ  雨水流出入孔
６１ｃ  チューブ継手
６１ｄ  空気孔
６１ｅ  空気注入孔
６１ｆ  空気注入孔
６２  吸水チューブ
６３  給水チューブ
７  水位表示部材
７１  菅状部材
７１ａ  黒色のチューブ部材
７１ｂ  白色又は銀色のチューブ部材
７１ｃ  白色又は銀色のチューブ部材
７１ｄ  孔部
７２  管継手
７３  糸部材
７４  吊下げ部材
７５  錘部材
Ａ  雨樋
Ｂ  雨水
【図１】
0006014617.tif 000002
【図２】
0006014617.tif 000003
【図３】
0006014617.tif 000004
【図４】
0006014617.tif 000005
【図５】
0006014617.tif 000006
【図６】
0006014617.tif 000007
【図７】
0006014617.tif 000008
【図８】
0006014617.tif 000009
【図９】
0006014617.tif 000010
【図１０】
0006014617.tif 000011
【図１１】
0006014617.tif 000012
【図１２】
0006014617.tif 000013
【図１３】
0006014617.tif 000014
【図１４】
0006014617.tif 000015
【図１５】
0006014617.tif 000016
【図１６】
0006014617.tif 000017
【図１７】
0006014617.tif 000018